(57)【要約】【課題】医薬品等を常時携帯する手段として、緊急の際の取り出し方も容易に防水効果、機能、見栄え及びデザインにも優れたロケット型ペンダントを提供する。【解決手段】本発明は、裏蓋を広く開蓋することが出来、医薬品等を取り出し易く、長方形板の両端に取り付けられた蝶版にて本体と裏蓋は接続されているために紛失する危険がなく、長方形板に若干のアールを付ける事により、裏蓋を開閉する際によりスムースに行うことが出来る。【選択図】図１０
2004136035.tif 000002
【特許請求の範囲】
【請求項１】
表面には装飾を施した、内部空洞を有する楕円形半球体本体と、同じく内部空洞を有する楕円形半球体裏蓋とで形成され、楕円形半球型本体の下部に蝶番にて枢動可能に接続した長方形板の逆側に、同じく蝶番にて裏蓋の上部に枢動可能に接続した長方形板を、本体下部凹部と裏蓋下部凸部を接点にし、テコの原理を応用して開閉を容易に行うことが可能で、携帯中不本意な接触で開蓋してしまい保管物を紛失してしまう事故などを防止し、確実に閉蓋し且つ容易に開蓋出来る事を特徴としたロケット型ペンダント。ニトロケースＰ．Ｔ。．
【請求項２】
請求項１に記載された発明において前期装飾体は、表面には装飾が形成され、頂部には鎖やネックレスなどの紐状装身具を押通す輪環が揺動可能に取り付けられ、開閉に不可欠な蝶番が内装され、本体裏面にはシリコーンゴム製などのパッキンを設置する溝を形成し、裏蓋側が本体裏面に形成された溝内のパッキン上に押し圧されて防水機能を保持することを特徴としたロケット型ペンダント。二トロケースＰ．Ｔ。
【発明の詳細な説明】
【０００１】
【発明の属する技術分野】
本発明は、緊急の際に素早く簡単に開蓋が出来て、内部に保管された医薬品等を容易に取り出し、且つ速やかに閉蓋する事が出来るロケット型ペンダントなどの装身具及びその機能に関するものである。
【０００２】
【従来の技術】
市販されている容器は、円形筒型に雄ネジと雌ネジを刻んだ捩じ込み方式で防水と接続を保持するために強い捩じ込みを必要とし、ピルやニトログリセリンなど医薬品等を身近に常時保管する物である。しかし緊急の際に取り出し難い場合があり、捩じ込みをゆるくした場合、携帯中本体と蓋が分離しているために不本意に欠落してしまうなどの問題が生じ、デザインにも限りがある。
【０００３】
市販されているロケットペンダントは片側に取り付けられた蝶番が露出していて、防水のための機能が不完全であり、且つ開蓋度が９０℃程度でピルやニトログリセリンなど医薬品等を常時身近に保管し、緊急の際に素早く取り出すことに技術面に於いて不十分である。
【０００４】
【発明が解決しようとする課題】
本発明は、螺旋を刻んだ捩じ込み方式を使用せず、長方形板の両端に蝶番を設置し枢動可能に取り付けた本体と裏蓋をテコの原理を利用し容易に開閉可能にした、ロケット型ペンダントに関するものである。
また本発明は、本体裏面に形成された溝にシリコーンゴムを敷き込む事により防水に優れたロケット型ペンダントを提供することを目的とする。
【０００５】
【課題を解決するための手段】
上記課題を解決するため、請求項１．２に記載された本発明に係る、二トロケースＰ．Ｔは、表面には装飾が施され、裏面には内部空間を密閉するための裏蓋が設置され、本体下部と裏蓋上部の両端に蝶番を設置した長方形板で枢動可能に接続し、本体下部凹部と裏蓋下部凸部を接点に、テコの原理を応用して確実に閉蓋し且つ容易に開蓋出来る事を特徴とするものである。
【０００６】
上記課題を解決するため、請求項１．２に記載された本発明に係る、二トロケースＰ．Ｔは、本体裏面にはシリコーンゴム製などのパッキンを設置する溝を形成し、裏蓋側が本体裏面に形成された溝内のパッキン上に押し圧されて防水機能を保持することを特徴とするものである。
【０００７】
上記課題を解決するため、請求項１に記載された本発明に係る、二トロケースＰ．Ｔは、円、楕円、角型等、表面にデザインを施した装飾も豊富に採用できるロケット型防水ペンダントを提供することを目的とする。
尚、素材に於いては、硬化プラチナ、金合金、銀合金などの貴金属、真鍮等通常の装身具に使用される金属でも製作可能であり、その加工法は手造りが最良であるが、ロストワックスやプレス形成を併用する事により製作工程を大幅に短縮することが出来る。
さらに本発明は、その他紐状ネックレス等と連結使用するブローチ等の留め金としての応用製作使用も可能であり、本体下部凹部と裏蓋凸部の接点を枢動可能に固定改良する事によりネックレスやブレスレット等の止め金具としての応用製作使用も可能である。
【０００８】
【発明の実施の形態】
以下、添付図面を参照しつつ、本発明に係る二トロケースＰ．Ｔを詳細に説明する。
【０００９】
【実施例】
図１は、請求項１．２に記載された本発明に係る、二トロケースＰ．Ｔ．本体正面図。
図２は、請求項１．２に記載された本発明に係る、二トロケースＰ．Ｔ．本体左右側面図。
図３は、請求項１．２に記載された本発明に係る、二トロケースＰ．Ｔ．背面図。
図４は。請求項１．２に記載された本発明に係る、二トロケースＰ．Ｔ．上面図。
図５は、請求項１．２に記載された本発明に係る、二トロケースＰ．Ｔ．下面図。
【００１０】
図６は、請求項１．２に記載された本発明に係る、二トロケースＰ．Ｔ．本体裏面図。パッキンを設置する溝８と、上部には頂部輪環１５とそれを繋ぐ丸環１６、下部に長方形板３を接続する第一蝶番６が取り付けられている。
溝８には、シリコーンなどの弾力性のあるパッキンが敷き込まれていて、閉蓋の際裏蓋側１１が蜜に接触して防水効果を保持する。
【００１１】
図７は、請求項１．２に記載された本発明に係る、二トロケースＰ．Ｔ．蓋内面図。上部外側には開蓋に必要な突出し部１４と、内側上部表面に長方形板３を接続する第二蝶番７が取り付けられている。
【００１２】
図８は、請求項１．２に記載された本発明に係る、二トロケースＰ．Ｔ．閉蓋状縦中央断面図。本体凹部１０に裏蓋凸部９を接合して、蓋表面に押し力を加え閉蓋された状態を示す。この状態に於いて、内部に隠れた長方形板３は閉蓋に向けてバネ力が生じ、外部からの引き力が開蓋する間際まで閉蓋のためのバネ力を保持する。
【００１３】
図９は、請求項１．２に記載された本発明に係る、二トロケースＰ．Ｔ．開蓋状縦中央断面図。本体凹部１０と裏蓋凸部９が分離して開口した状態を示す。この状態に於いて、外部に露出した長方形板３は本体１と裏蓋２を接続するのみで、閉蓋中に生じているバネ力は作用しない。
【００１４】
図１０は、請求項１．２に記載された本発明に係る、二トロケースＰ．Ｔ．開蓋状斜視図。長方形板３の両端に取り付けられた第１蝶番６と第２蝶番７により本体と裏蓋が接続されていることを示す。
図１１は、０００７に記載された、ネックレスやブレスレット等の止め金として応用製作された止め金の解説図。
【００１５】
本発明は、上記された実施例に限られるものではなく、種々の変更をおこなうことが出来る。
例えば、ネックレス、ブレスレットなどの止め金具として形成改良された止め金具図１１は、下側凹部と上側凸部の接点を枢動可能に固定改良する事により、ネックレス、ブレスレットなどの止め金具としての機能を保持し、従来の止め金具に装着されているストッパーなどを必要とせず、美観に優れたネックレス、ブレスレットなどの止め金具として使用可能である。
【００１６】
かかる場合は、図６本体裏面図に記載されている溝を撤去し長方形に形成し、接続板１７をネックレスやブレスレット等の止め金として応用製作された金具にに組み込み、開口された位置に接続板１８を差し込み、外部からの押し力により閉口して接続を完了する。
【００１７】
【発明の効果】
以上の説明から明らかなように、本発明に係るロケットＰ．Ｔは、防水効果、機能、見栄え及びデザインにも優れ、装身具としての利用価値を著しく高めることが出来る。
また、装飾体本体と裏蓋は長方形板を経由して接続しているので装飾体本体より離脱し紛失する危険はない。
【００１８】
さらに、内装された長方形板は、外からの押し力による閉蓋のさい凸部と凹部を接点にテコの原理によるバネ力が発生して、閉蓋中は閉蓋に向けてのバネ力のみが保持されていて、開蓋へのバネ力は無となり、開蓋には外からの引き力が必要となる為に、不本意な接触での開蓋に備えてのストッパー設置の必要性は無用となり、整然とした美観に優れた商品を提供することが出来る。
【図面の簡単な説明】
【図１】請求項１．２に記載された本発明に係る、二トロケースＰ．Ｔ．の本体を示す正面図。
【図２】請求項１．２に記載された本発明に係る、二トロケースＰ．Ｔ．本体を示す左右側面図。
【図３】請求項１．２に記載された本発明に係る、二トロケースＰ．Ｔ．背面図。
【図４】請求項１．２に記載された本発明に係る、二トロケースＰ．Ｔ．上面図。
【図５】請求項１．２に記載された本発明に係る、二トロケースＰ．Ｔ．下面図。
【図６】請求項１．２に記載された本発明に係る、二トロケースＰ．Ｔ．本体裏面図。
【図７】請求項１．２に記載された本発明に係る、二トロケースＰ．Ｔ．蓋内面図。
【図８】請求項１．２に記載された本発明に係る、二トロケースＰ．Ｔ．閉蓋状を示す縦中央断面図。
【図９】請求項１．２に記載された本発明に係る、二トロケースＰ．Ｔ．開蓋状を示す縦中央断面図。
【図１０】請求項１．２に記載された本発明に係る、二トロケースＰ．Ｔ。開蓋状を示す斜視図。
【図１１】請求項１．２に記載された本発明に係る、二トロケースＰ．Ｔの機能を応用した、ネックレス、ブレスレット等の止め金具用に改良形成された、ネックレス、ブレスレットなどの止め金具を示す縦中央断面図と、接続金具。
【図１２】請求項１．２に記載された本発明に係る、二トロケースＰ．Ｔの使用状態を示す正面図。
【符号の説明】
１　　二トロケースＰ．Ｔ本体
２　　裏蓋
３　　長方形板
４　　本体内部空洞部
５　　裏蓋内部空洞部
６　　第１蝶番
７　　第２蝶番
８　　溝
９　　裏蓋凸部
１０　本体凹部
１１　裏蓋側
１２　本体内側
１３　本体外側
１４　突出し部
１５　頂部輪環
１６　丸環
１７　ネックレス、ブレスレット止め金具
１８　ネックレス、ブレスレット等接続金具
１９　ネックレス、ブレスレット等接続金具
２０　凸部凹部接点
【図１】
2004136035.tif 000003
【図２】
2004136035.tif 000004
【図３】
2004136035.tif 000005
【図４】
2004136035.tif 000006
【図５】
2004136035.tif 000007
【図６】
2004136035.tif 000008
【図７】
2004136035.tif 000009
【図８】
2004136035.tif 000010
【図９】
2004136035.tif 000011
【図１０】
2004136035.tif 000012
【図１１】
2004136035.tif 000013
【図１２】
2004136035.tif 000014